(57)【要約】【課題】生体情報の測定に適する安定した測定部位を的確に決定し、生体情報の測定に適する安定した測定部位において、生体情報としての特定成分の濃度をバラツキなく測定する。【解決手段】爪上皮から遠位指節間関節の間における測定部位を決定する測定部位決定手段と、測定部位に光を照射するための情報検出用素子と、情報検出用素子に光を入射させるための光源と、情報検出用素子から出射する光を検出するための光検出手段と、光検出手段から得られた情報に基づき特定成分を測定する処理手段と、で生体情報測定装置を構成する。【選択図】図１
2005296635.tif 000002
【特許請求の範囲】
【請求項１】
生体に含まれる特定成分の濃度を測定するための装置であって、
爪上皮から遠位指節間関節の間における測定部位を決定する測定部位決定手段と、
前記測定部位に光を照射し、前記測定部位から出射した光を検出するための情報検出用素子と、
前記測定部位に接触させた前記情報検出用素子に光を入射させるための光源と、
前記測定部位に接触させた前記情報検出用素子から出射する光を検出するための光検出手段と、
前記光検出手段から得られた情報に基づき前記特定成分を測定する処理手段と、を含む生体情報測定装置。
【請求項２】
前記情報検出用素子を前記測定部位に当接させる当接手段を含む請求項１記載の生体情報測定装置。
【請求項３】
前記測定部位決定手段が、爪に照射した光の信号情報と、皮膚に照射した光の信号情報の違いに基づいて前記測定部位を決定する請求項１記載の生体情報測定装置。
【請求項４】
前記測定部位決定手段が所定の位置を確認し得る視覚確認手段を具備する請求項１記載の生体情報測定装置。
【請求項５】
前記測定部位決定手段が皮膚構造上存在する段差を検知することによって前記測定部位を決定する請求項１記載の生体情報測定装置。
【請求項６】
生体に含まれる特定成分の濃度を測定するための方法であって、
（１）爪上皮から遠位指節間関節の間において測定部位を決定する工程、
（２）前記測定部位に入射されたのちに前記測定部位から出射した光を検出する工程、
（３）前記工程（２）において検出した光に基づいて、前記測定部位の特定成分の濃度を特定する工程を含む生体情報測定方法。
【請求項７】
前記工程（１）において、爪に照射した光の信号情報と、皮膚に照射した光の信号情報の違いに基づいて前記測定部位を決定する請求項６記載の生体情報測定方法。
【請求項８】
前記工程（１）において、視覚により前記測定部位を決定する請求項６記載の生体情報測定方法。
【請求項９】
前記工程（１）において、皮膚構造上存在する段差を検知することによって前記測定部位を決定する請求項６記載の生体情報測定方法。
【発明の詳細な説明】
【技術分野】
【０００１】
本発明は、生体組織に含まれるグルコース、コレステロール、尿素または中性脂肪などの、生体情報である特定成分を、透過光、反射光、散乱光または透過反射光により非侵襲的に測定する生体情報測定方法および測定装置に関する。
【背景技術】
【０００２】
近年、被験者のグルコースを非侵襲的に測定する装置が提案されている。
例えば非特許文献１に記載されているように、生体の表皮のグルコース濃度は、血糖値の変化に対して正比例で変化することが知られており、また、例えば特許文献１に記載されているように、６００ｎｍから１１００ｎｍの近赤外線を被験者に投射し、被験者内を経由した光の特定波長成分を分析し血糖値を求める方法も知られている。
【０００３】
また、中赤外線とＡＴＲ（減衰全反射）プリズムを用い、入射光がＡＴＲプリズムの反射面と生体との境界で減衰全反射を繰り返し、その後ＡＴＲプリズム外部に出射された光を分析する方法も知られている。例えば特許文献２においては、ＡＴＲプリズムを口あるいは指に挟んで密着させて分析を行う方法が提案されている。
【０００４】
この特許文献２記載の方法では、エバネッセント波（いわゆるしみだし光）を定量分析に応用されている。ＡＴＲプリズム中を進行する光は、わずかに口唇あるいは指に浸入した後、反射する。したがって、光は、口唇または指の中に存在する体液に含まれる各成分の影響を受ける。そこで、反射光の光量を測定することにより、体液の反射率や吸収率などの変化を検出することができ、体液中の各成分の情報を得ることができるのである。
【０００５】
上記特許文献１および２によると、生体組織中のグルコースなどの成分には、光の吸収ピークが存在するため、この吸収ピークに対応する波数の光を生体に照射した場合、生体中のグルコース濃度に応じて光の吸収量が異なってくる。したがって、この生体からの帰還光を測定することにより、グルコースの濃度に関する情報が得られる。ここで濃度に関する情報とは、濃度の絶対値、濃度の時間的変化などを意味する。
【０００６】
ところで、特許文献３においては、エバネッセント光は用いられていないが、光源から近赤外光を生体組織に照射し、当該生体組織を通過してきた光のエネルギーを測定することによって、生体組織中のグルコース濃度を求める方法が開示されている。具体的には、特に指のうちの爪の部分に光を通過させて生体情報を測定する方法が提案されている。
【特許文献１】特表平５−５０８３３６号公報。
【特許文献２】特開平９−１１３４３９号公報。
【特許文献３】特開平３−１７３５３５号公報
【非特許文献１】山村ら編、「現代皮膚科学大系３Ｂ  皮膚の構造と機能II」、中山書店、１９８２年
【発明の開示】
【発明が解決しようとする課題】
【０００７】
しかしながら、上記の従来の光学測定には、つぎのような問題がある。
上記特許文献１および３記載の方法では近赤外光が用いられており、確かに近赤外光は赤外光に比べて水に対する吸収強度が小さいため、水溶液や生体を透過し易く分析に適している。その反面、近赤外光を用いた場合は、赤外光を用いた場合に比べて、各種成分の吸収ピークが複雑に重なり合い、単独の成分に関する情報を得ることが困難である。
【０００８】
ここで、生体の皮膚は、表皮、真皮および皮下組織などで構成されている。真皮には血管が存在し、血液が循環して流れている。真皮には、汗腺、毛根および立毛筋などの構造物が多く含まれ、表皮は、最も外側から順に、角質層、顆粒層、有棘層および基底層を含む４層構造を有している。角質層はいわゆる「死んだ細胞」であり、ここでは代謝活動は行なわれていない。
【０００９】
したがって、上記特許文献１に記載されているように皮膚に近赤外光を照射した場合は、光が真皮まで光が到達し、血液中の散乱体である赤血球が測定中に移動して光の散乱状態を変化させてしまい、得られる信号が影響を受けてしまうという問題がある。汗腺、毛根および立毛筋などの構造物からの影響も受けてしまう。
また、特許文献３記載のように、爪の部分において光を透過させて測定を行う場合、爪の部分にはグルコースがほとんど含まれておらず、また、爪が光の進行を邪魔したり光が爪で散乱したりすることにより、生体情報を正確に測定することが困難であるという問題がある。
【００１０】
また、減衰全反射を用いた前記特許文献２記載の従来の方法において用いられるエバネッセント光は、一般的に、その波長オーダの深さまで測定対象に侵入するだけであり、浅い表面深さまでの測定しかできない。
しかしながら、爪の部分や皮膚の最表面にある角質層には生体情報を与えてくれる成分がほとんど含まれておらず、光学測定に対する妨害部分として作用する。角質層は部位によって厚みが異なり、この角質層の厚みによって光の到達量が変化し、検出される信号が変化してしまうため、測定結果にバラツキが生じて安定しないという問題がある。
【００１１】
また、エバネッセント光を用い、角質層のない口唇粘膜において測定を行う場合、唾液が介在すると、測定中あるいは測定毎に唾液の厚さが変化するおそれがある。この唾液層の厚みに変動が生じると、光の到達量が変化し、検出される信号が変化してしまうため、測定結果にバラツキが生じて安定しないという問題がある。
【００１２】
そこで、本発明は、上述のような従来からの問題を解消することを目的とし、より具体的には、本発明は、生体情報の測定に適する安定した測定部位を的確に決定し、生体情報の測定に適する安定した測定部位において、生体情報としての特定成分の濃度をバラツキなく測定することができる生体情報測定方法および生体情報測定装置を提供することを目的とする。
【課題を解決するための手段】
【００１３】
上記の課題を解決すべく、本発明は、
生体に含まれる特定成分の濃度を測定するための装置であって、
爪上皮から遠位指節間関節の間における測定部位を決定する測定部位決定手段と、
前記測定部位に光を照射し、前記測定部位から出射した光を検出するための情報検出用素子と、
前記測定部位に接触させた前記情報検出用素子に光を入射させるための光源と、
前記測定部位に接触させた前記情報検出用素子から出射する光を検出するための光検出手段と、
前記光検出手段から得られた情報に基づき前記特定成分を測定する処理手段と、を含む生体情報測定装置を提供する。
【００１４】
前記生体情報測定装置は、前記情報検出用素子を前記測定部位に当接させる当接手段を含むのが好ましい。
また、前記測定部位決定手段が、爪に照射した光の信号情報と、皮膚に照射した光の信号情報の違いに基づいて前記測定部位を決定するものであるのが好ましい。
【００１５】
また、前記測定部位決定手段は、所定の位置を確認し得る視覚確認手段を具備するのが好ましい。かかる視覚確認手段としては、透明窓と、測定部位を位置付けるために当該透明窓に設けられた基準線と、の組合せが考えられる。
また、前記測定部位決定手段は、皮膚構造上存在する段差を検知するものであってもよい。
【００１６】
さらに本発明は、生体に含まれる特定成分の濃度を測定するための方法であって、
（１）爪上皮から遠位指節間関節の間において測定部位を決定する工程、
（２）前記測定部位に入射されたのちに前記測定部位から出射した光を検出する工程、
（３）前記工程（２）において検出した光に基づいて、前記測定部位の特定成分の濃度を特定する工程を含む生体情報測定方法を提供する。
【００１７】
前記工程（１）において、爪に照射した光の信号情報と、皮膚に照射した光の信号情報の違いに基づいて前記測定部位を決定するのが好ましい。
また、前記工程（１）においては、視覚により前記測定部位を決定してもよい。
さらに、前記工程（１）においては、皮膚構造上存在する段差を検知することによって前記測定部位を決定してもよい。
【発明の効果】
【００１８】
本発明に係る生体情報測定方法および生体情報測定装置よれば、上記のように爪上皮から遠位指節間関節の間において測定部位を的確に決定するため、生体情報の測定に適する安定した測定部位において、生体情報としての特定成分の濃度をバラツキなく測定することができる。
【発明を実施するための最良の形態】
【００１９】
以下、図面を参照しながら本発明の好適な実施の形態について説明する。なお、以下の説明では、同一または相当部分には同一符号を付し、重複する説明は省略することもある。
まず、本発明の生体情報測定方法を、図面を参照しながら詳細に説明する。なお、本発明はこれらのみに限定されるものではない。図１は、本発明の実施の形態１に係る生体情報測定方法を説明するための図である。
【００２０】
まず、工程（１）においては、図１に示すように、爪上皮２ｃから遠位指節間関節１ａの間における測定部位を決定して、当該測定部位に情報検出用素子１２を接触させる。
つぎに、工程（２）では、光源１１から情報検出用素子１２に光を入射し、入射光が指１の測定部位に吸収・反射されて情報検出用素子１２内を伝搬していく。このとき、測定部位に含まれる特定成分の量に応じた量の光が吸収され、その後、光は情報検出用素子１２から出射される。そして、情報検出用素子１２から出射された光を、光検出手段１３によって検出する。
【００２１】
ついで、工程（３）において、工程（２）における検出光から得られた情報を信号処理手段１４によって処理・演算し、前記測定部位における特定成分の濃度を特定する。
工程（２）で用いる光検出手段１３、および工程（３）で用いる信号処理手段１４は、後述する。
【００２２】
ここで、情報検出用素子１２のセンシング面と測定部位との間の様子を示す概略拡大断面図を図２に示す。図２に示すように、情報検出用素子１２のセンシング面１２ａはＶ型に加工されており、指の測定部位の皮膚表面に密着して押圧されている。この測定部位においては、表面から角質層４ａ、表皮４および真皮６と続いている。
【００２３】
情報検出用素子１２は、センシング面１２ａがＶ型の形状を有することにより、光が角質層４ａを含む表皮４および真皮６を透過するよう構成されている。
表皮４は、上述したように角質層４ａ、顆粒層、有棘層および基底層を含むが、本明細書および図面では、角質層４ａ以外の詳細な層の構造は省略する。
【００２４】
これら表皮４を形成する角質層４ａの細胞以外の細胞は生細胞である。そのため、細胞として生存するために、栄養分が補給されなければならない。これらの細胞は、真皮６に存在する毛細血管により栄養を得る。また、上述のように表皮４中のグルコース濃度は、血糖値の変化に対して正比例で変化することが知られている。
【００２５】
そして、表皮４には、汗腺、毛根、毛根に付随する立毛筋などの構造物が存在せず、また、血液の循環がないため、血液中の細胞（例えば赤血球など）の心拍に応じて光の散乱状態を変化させる要因も存在しない。以上のことから、測定部位において表皮４の部分を測定することは非常に大きな利点がある。
【００２６】
一方、真皮６には血液がたくさん流れていることから、測定結果に影響を与えるようにも考えられる。しかしながら、測定時に測定部位を固定して静置すると血液の流れが滞留することから、特に応答性に悪影響を与えることなくグルコース濃度を測定することができる。
【００２７】
情報検出用素子１２においては、センシング面１２ａにおけるＶ型（Ｖ字状）部分の大きさ（深さ）や角度を調節することによって、角質層４ａ内に光がしみ込む深さ１２ｂをある程度制御することができる。Ｖ型部分の具体的な態様としては、複数の溝を連続して並列させるのがなお一層好ましい。これは、複数の溝から各々の信号が得られ、信号量が増すという理由によるものである。
また、Ｖ型部分で表皮４を挟み込むようにしてこの表皮４および／または真皮６内を測定するため、必要な情報を与えてくれる成分があまり含まれていない角質層４ａは薄いほうがより好ましい。
【００２８】
つぎに、図３〜６を参照しながら、指のなかで本発明における測定部位として好ましい部分について説明する。図３の（ａ）は指１の上面図であり、図３の（ｂ）は指１の側面図である。また，図３の（ｃ）は指１の概略断面図である。図４は、図３の（ｃ）のＡで示される部分の拡大斜視図である。さらに図５および６は、それぞれ図４のＢおよびＣで示される部分の拡大斜視図である。
【００２９】
指１の先端の構造を簡単に説明する。指１の先端に存在する爪甲２は、根元部分が皮膚の内部に保護されている。爪甲２は皮膚内に斜めに嵌入しており、爪母（または爪根）２ａを覆う部分が後爪郭３と呼ばれる。爪母２ａは、半月状の白色帯である爪半月２ｂの前後から嵌入部分あたりを示す。
【００３０】
嵌入する爪甲２によって表皮４がこの部分で折り畳まれた状態となり、爪母２ａに密着する部分を腹層３ａと呼び、指１の表面側にある部分を背層３ｂと呼ぶ。そして、これらの部位の総称が後爪郭３である。この後爪郭３から爪甲２に向かって伸びる半透明の角質部分は爪上皮２ｃと呼ばれる。
【００３１】
図５に示すように、真皮６内には、動脈と静脈が吻合した毛細血管係蹄５が存在し、この蹄状の部分が真皮６内の乳頭層と呼ばれる山状部分と平行して走っている。すなわち最外層の角質層４ａとは直交して存在する。
後爪郭３の内部の真皮６には、図６に示すように、動脈と静脈が吻合した毛細血管係蹄５が、最外層の角質層４ａとほぼ平行に走り、直径も太い。
【００３２】
以上のことから、図５に示すように、表皮４は、毛細血管係蹄５上部から栄養されることになり、図６に示すように、毛細血管係蹄５が最外層の角質層４ａとほぼ平行にはしっていることから、後爪郭３付近の表皮４は血管全面から栄養され、他の部位より成分濃度が高いと考えられる。そこで、測定部位として、爪上皮２ｃから遠位指節間関節１ａまでの範囲の中で、後爪郭３付近の部分を使用するのがなお一層好ましい。
なお、図３および４に示す構造は、例えば「現代皮膚科学大系３Ａ  皮膚の構造と機能I」、中山書店、１９８２年に記載されている。
【００３３】
また、本発明の方法では、測定部位の後爪郭３を検知するために測定部位決定手段を使用する。この測定部位決定手段は、後爪郭３などの軟ケラチンからなる皮膚と、硬ケラチンからなる爪甲２とを判別する手段であって、例えば光によって皮膚と爪の違いを検知することが可能である。
【００３４】
例えば、指１に光を照射し、反射光などを検出することで爪と皮膚のスペクトルの違いを判断し、爪甲２から皮膚に変化する部位である爪上皮２ｃを検知することができる。このスペクトルの違いは、爪と皮膚の硫黄含有量の差であってもよい。また、爪と皮膚の脂質量の差で違いを検出し判断するものであってもよい。
【００３５】
また、指１に光を照射し、爪と皮膚の反射率の違いを検出し判断するものであってもよい。すなわち、光を用いて爪と皮膚の違いを検出できるものであればよく、この実施の形態に限定されるものではない。
さらに、爪甲２と爪上皮２ｃあるいは後爪郭３との皮膚構造上存在する段差を利用し、後爪郭３を検知するものであってもよい。爪甲２と爪上皮２ｃあるいは後爪郭３の違いをＣＣＤカメラなどの撮影により映像で判断するものであってもよい。
さらにまた、測定部位決定手段は、所定の位置を確認し得る視覚確認手段を具備するのが好ましい。かかる視覚確認手段としては、透明窓と、測定部位を位置付けるために当該透明窓に設けられた基準線と、の組合せが考えられる。これによれば、直接目視で測定部位を決定することができる。
【００３６】
このように本発明の方法では、毛細血管係蹄５が皮表とほぼ平行に走り、成分濃度が高いと考えられる部位である、後爪郭３あるいはその後爪郭３を含む範囲を決定し、その表皮４および／または真皮６に光を侵入させて測定するものである。このため常に同じ部位の測定を行なうことができ、安定した測定結果を得ることができる。
【００３７】
つぎに、本発明の測定方法を実施するための測定装置を、図７を参照しながら説明する。
図７は生体情報測定装置２１の概略断面図である。指１を挿入する中空部（凹部）２２、指１を載置するための保持台２３、および挿入部２４を有する。この挿入部２４は、ニトリルゴムなどの弾性体で構成し、伸縮自在の孔を設けるのが好ましく、遮光手段も兼ねているのが好ましい。また絞りシャッター状の挿入部２４としてもよい。
【００３８】
凹部２２の内面には、後爪郭３を検知するための測定部位決定手段２５を設ける。例えば挿入部２４から挿入されてくる指１に、光２５ａを照射し、反射光２５ｂなどを検出することで爪と皮膚の反射率の違いを判断し、爪から皮膚に変化する部位である爪上皮２ｃを検知する。
また、ランプ２６を生体情報測定装置２１の上面に設け、爪から皮膚に変化する部位である爪上皮２ｃを検知したとき、点灯させるのが好ましい。これにより、測定部位が挿入されたことを使用者に知らせることができる。
【００３９】
測定手段２７は情報検出用素子を含み、情報検出用素子が凹部２２内で移動することができるように当接手段である移動手段２８を備えている。この移動手段２８は、測定手段２７の情報検出用素子を後爪郭３に当接し密着して押圧するよう、例えばスライドして上下降するよう構成する。例えば歯車機構などの既存の技術を用いればよい。
また、測定手段２７の移動距離を、測定部位決定手段２５によって計測することができるようにするとなお好ましい。
【００４０】
情報検出用素子に内蔵されるセンシング面は、図２の説明で記述したように、角質層４ａを含む表皮４に光が透過するよう、Ｖ型の構造となっている。このセンシング面は、Ｖ型に限定するものではなく、表皮４のみに光が透過する構成であれば、例えば光ファイバーであってもよい。  
【００４１】
また、生体情報測定装置２１は、図示しないが、図１の説明で記述したような光源と光検出手段と信号処理手段を有している。
この光源は、測定手段２７内に内蔵し、情報検出用素子に直接光を導いてもよいし、生体情報測定装置２１側に内蔵し、光ファイバーなどの導光路を用いて情報検出用素子に光を導いてもよい。
【００４２】
ここで、光源としては、測定対象である測定成分の吸収波長の光を発するものであれば用いることができる。例えば、ＳｉＣを棒状に焼結したグローバ光源、ＣＯ2レーザ、タングステン灯、ＬＤ、ＬＥＤ、ハロゲン光源などが挙げられる。
情報検出用素子の材料としては、当該分野で公知のものを用いることができる。例えば、シリコン、ゲルマニウム、ＳｉＣ、ダイアモンド、ＺｎＳｅ、ＺｎＳおよびＫｒＳなどが挙げられる。
【００４３】
また、光検出手段も、測定手段２７内に内蔵して情報検出用素子からの出射光を直接導いてもよいし、生体情報測定装置２１側に内蔵して光ファイバーなどの導光路を用いて光を導いてもよい。
ここで、光検出手段としては、当該分野で公知のものを用いることができる。例えば、焦電センサやＭＣＴ検出器（量子型検出器の一種であるＨｇＣｄＴｅ検出器）などが挙げられる。
【００４４】
前記処理手段は、生体情報測定装置２１あるいは測定手段２７内に内蔵し、光検出手段で得られた情報を処理・演算し、生体情報測定装置２１の上面に備えた表示部２９に、その情報から得られた血糖値などを表示する。
生体情報測定装置２１は分光器を具備していてもよく、また、前記処理手段は、光の特定波長の強度と特定成分の濃度との関係を示す標準データを記憶した記憶部を有する換算手段を具備していてもよい。例えば、換算手段は、記憶部に記憶されている標準データを用いて、光検出手段において検出された出射光の特定波長の強度を、特定成分の濃度に換算することができる。
【００４５】
生体情報測定装置２１の挿入部２４から指１を挿入していくと、測定部位決定手段２５が爪から皮膚に変化する部位である爪上皮２ｃを検知し、生体情報測定装置２１上面に設けたランプ２６が点灯する。
その位置で指１の挿入を止めると、後爪郭３に情報検出用素子が密着して押圧されるように、測定手段２７を移動させて下降させることで、測定が開始される。
【００４６】
測定部位決定手段２５の動作開始のためには、スイッチを設けてもよいし、挿入部２４に接触スイッチを内蔵し、指１を挿入したことで自動的に作動するようにしてもよい。測定部位決定手段２５が爪上皮２ｃを検知したときの表示は、ランプ２６の点灯であってもよいし、ブザーなどの音声表示であってもよい。また、ランプ２６の点灯でなく、表示部２９の明滅表示や文字イラストなどの視覚的表示であってもよい。
【００４７】
また、測定手段２７の移動動作開始のためには、スイッチを設けてもよいし、測定部位決定手段２５が爪上皮２ｃを検知し、さらに、指１の静止を検知して自動的に作動するようにしてもよい。さらに、指１を挿入した際に当該指１の位置がズレることを防止するため、測定部位決定手段２５を、距離をおいて２箇所以上に（すなわち、複数の測定部位決定手段２５）設置してもよい。
このように、爪と皮膚の違いを検知し表示することで、指１の挿入を最適の位置で止めることができ常に同じ位置の設定を再現することができる。
【００４８】
図８は、生体情報測定装置２１に具備させることのできる表示部３０の一例を示す概略図である。図示しないが、生体情報測定装置２１内にＣＣＤカメラを具備すれば、凹部２２内を撮影し、表示部３０にその映像を表示することができる。
表示部３０には基準線３１が記されており、指１を挿入しながら、表示部３０の基準線３１に、爪上皮２ｃと後爪郭３との境目を合わせ目視で位置決めすることができる。
【００４９】
また、図９の（ａ）は、本発明の他の実施の形態に係る生体情報測定装置の構成を示す概略上面図であり、図９の（ｂ）は、図９の（ａ）におけるＡ−Ａ線断面図である。また、図９の（ｃ）は、図９の（ｂ）における矢印Ｂからみた生体情報測定装置の正面図である。
この生体情報測定装置によれば、指１が挿入されることを直接目視で確認し、指１の所定の位置に情報検出用素子１２を位置決めすることができる。
【００５０】
情報検出用素子１２と透明体で構成された表示部３０とが情報検出用素子用保持台８４に固定されている。表示部３０には基準線３１が記され、情報検出用素子１２に光を入射させるための光入射素子８１ａ、情報検出用素子１２から出射した光を分光素子（図示せず）や光検出器（図示せず）に導くための光出射素子８１ｂが備えられている。
情報検出用素子用保持台８４は、図９の（ａ）におけるＡ−Ａ線方向、およびＡ−Ａ線に略垂直な方向に移動させることが可能であり、所望の位置でネジ部８５を用いて固定することができる。
【００５１】
情報検出用素子用保持台８４は、保持台８２に取り付けられている。また、保持台８６は保持台８２に取り付けられており、情報検出用素子１２が適度に指１に接触するように、ネジ部８３を用いて情報検出用素子用保持台８４の高さを調整・固定することができる。
【００５２】
また、図９の（ｃ）に示すように、情報検出用素子用保持台８４において情報検出用素子１２の横には、バネやゴムなどの弾性体、発泡体やクッションなどで構成された指押し当て部９０を設置してもよい。また、情報検出用素子用保持台８４に突起部９１を設けるとともに、保持台８６にも同様の突起部を設け（図示せず）、情報検出用素子用保持台８４と保持台８６とを輪ゴム９２で固定してもよい。この場合、指１に対する押し付け圧力を安定させることが可能になり好ましい。
保持台８６の上面には、指１の位置決めをするための位置決め部材８７を設けてもよい。位置決め部材８７は、突起部やリブで構成することができる。これにより、保持台８６において指１の位置決めを安定して行うことができる。
【００５３】
ここで、情報検出用素子用保持台８４の位置の具体的な調整方法をより詳細に説明する。まず、表示部３０と保持台８６との間に指１を挿入し、指１の遠位指節間関節１ａを位置決め部材８７に接触させ、接触した位置で指１を静止する。
つぎに、情報検出用素子用保持台８４をスライドさせて、目視にて上爪皮２ｃの部分を表示部３０の基準線３１に合わせ、ネジ部８５を用いて情報検出用素子用保持台８４を固定する。
【００５４】
また、情報検出用素子用保持台８４の高さについては、保持台８２を上下にスライドさせ、情報検出用素子１２が指１に適度に接触するように情報検出用素子用保持台８４の位置を調整して固定すればよい。これにより、指１の後爪郭に情報検出用素子１２を接触させることができる。
以上のようにして、本実施の形態に係る生体情報測定装置において、測定部位に情報検出用素子１２を高い再現性をもって容易かつ確実に接触させることができる。
【００５５】
つぎに、図１０は、本発明の更に別の実施の形態に係る生体情報測定装置５１の概略図である。図１０において、図１〜７と同じ構成要素については同じ符号を用いて示した。これらの説明は省略する。
この実施の形態に係る生体情報測定装置５１は、底面に回転自在なローラ５２を備え、側面の一部が底面と角度を９０°以上に形成されるテーパ状５３となっている。このテーパ状部分５３に情報検出用素子１２を内蔵し、さらに光源１１、検出器１３および信号処理手段１４を内蔵する。
【００５６】
この生体情報測定装置５１は、後爪郭３の検知手段を兼ねている。この生体情報測定装置５１を図１０の（ａ）に示すように、指１の遠位指節間関節１ａから爪側に移動させる。ここで、ローラ５２が後爪郭３から爪上皮２ｃおよび爪甲２に移動した時点で、その皮膚構造上存在する段差により、生体情報測定装置５１全体が下がり、段違いの位置にまでローラ５２が移動したことがわかる。すなわち、生体情報測定装置５１が爪側に移動したことを判断することができる。
そして、図１０の（ｂ）に示すように、そのまま後爪郭３側に生体情報測定装置５１を傾斜させることで、後爪郭３に情報検出用素子１２を密着させる。
【００５７】
この状態で、測定を行えばよく、生体情報測定装置５１の移動は、手に持って手動により動かしてもよく、自動的に指１面を走行し段差を検知して傾斜させてもよい。
また、情報検出用素子１２に接触スイッチを設け、後爪郭３と情報検出用素子１２が接触した際、この接触を感知してスイッチが入り測定が開始される構造であればなお一層好ましい。
【００５８】
また、生体情報測定装置５１を、指１の遠位指節間関節１ａ方向から爪側に移動させずに、一点鎖線で示すように爪側から移動させてもよい。
この場合、ローラ５２が爪甲２側にあり、生体情報測定装置５１のテーパ状部分５３、すなわち情報検出用素子１２が、後爪郭３に当接した時点で後爪郭３の位置を判断することができる。そのため、測定するにはそのまま後爪郭３側に情報検出用素子１２が接触するよう傾斜させればよい。
【００５９】
このように、本発明は、毛細血管係蹄５が皮表とほぼ平行に走り、成分濃度が高いと考えられる部位である後爪郭３あるいはその後爪郭３を含む範囲を検知し、その表皮４内のみに光を照射して測定できるものであり、測定部位を検知することで常に同じ位置での測定を行なうことができ、安定した測定結果を得ることができる。
【産業上の利用可能性】
【００６０】
以上のように、本発明の生体情報測定方法および生体情報測定装置によれば、爪上皮から遠位指節間関節の間において測定部位を的確に決定するため、生体情報の測定に適する安定した測定部位において、生体情報としての特定成分の濃度をバラツキなく測定することができる。このような本発明の生体情報測定方法および生体情報測定装置は、特に医療分野における血液成分の測定に有用である。
【図面の簡単な説明】
【００６１】
【図１】本発明に係る生体情報測定方法を説明するための図である。
【図２】本発明に係る生体情報測定方法において情報検出用素子と測定部位が接する様子を示す拡大断面図である。
【図３】生体である指の構造を示す図である。
【図４】生体である指の構造をさらに詳細に示す図である。
【図５】図４においてＢで示された部分を拡大した概略断面図である。
【図６】図４においてＣで示された部分を拡大した概略断面図である。
【図７】本発明の一実施の形態に係る生体情報測定装置の構成を示す概略断面図である。
【図８】本発明における表示部を説明するための上面図である。
【図９】本発明の別の実施の形態に係る生体情報測定装置の構成を示す図である。
【図１０】本発明のさらに別の実施の形態に係る生体情報測定装置の構成を示す図である。
【符号の説明】
【００６２】
１    指
２    爪甲
２ｃ  爪上皮
３    後爪郭
４    表皮
１２  情報検出用素子
【図１】
2005296635.tif 000003
【図２】
2005296635.tif 000004
【図３】
2005296635.tif 000005
【図４】
2005296635.tif 000006
【図５】
2005296635.tif 000007
【図６】
2005296635.tif 000008
【図７】
2005296635.tif 000009
【図８】
2005296635.tif 000010
【図９】
2005296635.tif 000011
【図１０】
2005296635.tif 000012